(57)【要約】【課題】給湯機の混合水吐出端に近接して設けることができる構造が簡単で、小型化した炭酸泉マイクロバブル生成装置、炭酸泉マイクロバブルシャワー装置、マイクロバブル炭酸泉装置及び微細化吐出部材を提供する。【解決手段】給湯器混合栓水出口に接続して用いる炭酸泉マイクロバブル生成装置であって、フロースイッチと、逆止弁と、気液混合細分化部材と、連結部材と、炭酸ガス導管と、ケースと、気体導管とからなり、前記逆止弁と前記気液混合細分化部材とは直線状に近接して連結すると共に、前記ケースに固定し、前記連結部材により給湯器混合栓水出口部に固定して接続し、前記フロースイッチの作動により温水が流れ出してから炭酸ガスを前記炭酸ガス導管から前記気液混合細分化部材に供給する。【選択図】図４
2014094339.tif 000002
【特許請求の範囲】
【請求項１】
給湯器混合栓水出口に接続して用いる炭酸泉マイクロバブル生成装置であって、
フロースイッチ、逆止弁、気液混合細分化部材、連結部材、炭酸ガス導管、ケース、気体導管、から構成し、
前記逆止弁と前記気液混合細分化部材とは直線状に連結すると共に、前記ケース内に固定し、
前記連結部材により給湯器混合栓水出口部に固定して接続し、
前記フロースイッチの作動により温水が流れ出してから炭酸ガスを前記炭酸ガス導管
から前記気液混合細分化部材に供給するようにしたことを特徴とする
炭酸泉マイクロバブル生成装置。
【請求項２】
前記ケース内に二次電池を設けると共に、前記炭酸ガス導管にパイロットバルブを設け、前記炭酸ガス導管を前記気液混合細分化部材に前記パイロットバルブを介して接続し、前記フロースイッチが温水が流れたことを検出し、前記二次電池により前記パイロットバルブを作動して前記気液混合細分化部材に炭酸ガスを供給するようにしたことを特徴とする請求項１に記載の炭酸泉マイクロバブル生成装置。
【請求項３】
前記気液混合細分化部材と炭酸ガス源を接続する炭酸ガス導管に、前記炭酸ガス源側から、順次、前記パイロットバルブ、切換弁とを設け、該切換弁と前記気液混合細分化部材との気体導管に、順次、チェック弁、流量調節弁を設け、前記気液混合細分化部材において温水に炭酸ガス気泡を分散させるようにしたことを特徴とする請求項１又は請求項２のいずれかに記載の炭酸泉マイクロバブル生成装置。
【請求項４】
前記炭酸ガス導管の前記切換弁は炭酸ガスと空気又は／及び他の混合成分の取り入れを切り換えるようにしたことを特徴とする請求項１ないし請求項３のいずれか１項に記載の炭酸泉マイクロバブル生成装置。
【請求項５】
前記気液混合細分化部材に微細化部材を加えて構成した混合微細化ユニットを備えたことを特徴とする請求項１ないし請求項４のいずれか１項に記載の炭酸泉マイクロバブル生成装置
【請求項６】
前記気液混合細分化部材は、下流側管状部材と気液混合ノズル部材とを有し、前記下流側管状部材の流路には、噴出段部が設けられ、該噴出段部の上流側の外周には、気体導入孔が穿設され、内部には気液混合ノズル部材が流路と同心円状に設けられているとともに、前記噴出段部の開口と前記気液混合ノズル部材の開口とは対向して、かつ間隔を有して設
けられたことを特徴とする請求項１ないし請求項５のいずれか１項に記載の炭酸泉マイクロバブル生成装置。
【請求項７】
前記炭酸ガスの漏れを検知するガス漏れ検知手段と、前記炭酸ガスの漏れを検知したら前記炭酸ガス導管への炭酸ガスの供給を遮断する遮断弁を備えたこと特徴とする請求項１ないし請求項６のいずれか１項に記載の炭酸泉マイクロバブル生成装置。
【請求項８】
前記ガス漏れ検知手段を前記気体導管に設けた圧力センサとしたこと特徴とする請求項１ないし請求項７のいずれか１項に記載の炭酸泉マイクロバブル生成装置。
【請求項９】
請求項１ないし請求項８のいずれか１項に記載の炭酸泉マイクロバブル生成装置に接続してシャワーヘッドを設けたことを特徴とする炭酸泉マイクロバブルシャワー装置。
【請求項１０】
請求項１ないし請求項９のいずれか１項に記載の炭酸泉マイクロバブル生成装置に脱着自在に接続して微細化吐出部材を浴槽に備えたことを特徴とするマイクロバブル炭酸泉装置。
【請求項１１】
前記マイクロバブル炭酸泉装置の炭酸泉マイクロバブル生成装置の下流に設けられる微細化吐出部材であって、流路に段部が設けられ、吐出端部側で絞られていることを特徴とする請求項１０に記載のマイクロバブル炭酸泉装置に使用する微細化吐出部材。
【請求項１２】
マイクロバブル炭酸泉装置の炭酸泉マイクロバブル生成装置の下流に設けられる微細化吐出部材であって、流路に複数の旋回案内が設けられていることを特徴とする請求項１０または１１に記載のマイクロバブル炭酸泉装置に使用する微細化吐出部材。
【発明の詳細な説明】
【技術分野】
【０００１】
本発明は、炭酸泉マイクロバブル生成装置、炭酸泉マイクロバブルシャワー装置及びマイクロバブル炭酸泉装置並びに微細化吐出部材に関し、より詳細には、給湯機から出た温水に微細気泡を分散させる炭酸泉マイクロバブル生成装置、分散した気泡を散水するシャワー装置、及び浴槽内に炭酸ガス気泡を分散させるマイクロバブル炭酸泉装置、並びに気泡を微細化させて吐出する微細化吐出部材に関する。
【背景技術】
【０００２】
蛇口やシャワーノズルによって吐水される温水（混合水）中に、微細化された気泡を混入させると、微細な気泡がはじけることで洗浄効果を高めたり、肌に刺激を与えたり、あるいは水のはねを防止できる等の効果を得られることが、知られている。そして、この気泡の形成方法としては、温水の流れの中に負圧発生部分を形成して、負圧発生部分に外気を導入してなされるものがある。また、浴槽内に気泡を発生させ、空気による肌への衝撃によるマッサージ効果を図る気泡風呂が知られている。
【０００３】
さらに、炭酸ガスが溶解した温水が人体に対して、血行の促進、血圧の低下、冷え性の改善などの効果があることがいわれている。そこで、仕事の疲れを癒したり、ストレスを解消して健康を増進するための炭酸泉が注目されている。炭酸ガス気泡発生のために風呂や、浴槽の中にクエン酸またはコハク酸を入れ、浴槽内で炭酸ガスを発生させる炭酸ガス入浴剤等が知られている。
【０００４】
気泡発生剤を使用せずに、炭酸泉を作成する方法がいろいろと提案されている。例えば、炭酸ガス泡を分散させる方法とか、炭酸ガスを溶解させる方法とかがある。液体中に気泡を形成する方法としては、液体の流れの中に負圧発生部分を形成して、この負圧発生部分に気体を導入してなされることが広く行われている。
【０００５】
例えば、水道水中にマイクロバブルを発生するため、洗浄水流路の流路中に、上流側から順に気体混入部、洗剤供給部、気泡微細化手段を設けて構成しているマイクロバブル洗浄ノズルがある。そして、洗浄水流路の下流端には、これら各部を通過して生成されたマイクロバブル洗浄水を被吐出体に向けて吐出するマイクロバブル吐水口を設けている。
【０００６】
しかしながら、このマイクロバブル洗浄ノズルでは、負圧発生部分に外気を導入してなされるものであるため、気泡の大きさはせいぜいミリ単位（以下、ミリバブル、あるいは微小泡という）である。このミリ単位の微小泡では、洗浄効果等がそれほどでもないため、ミクロン単位の気泡を発生させるバブル発生器が提案されている（特許文献１参照）。
【０００７】
この特許文献１のバブル発生器は、下流側に向けて窄まる第１流路を設けた上流側本体と、前記第１流路内に収納されて多数の通液孔を設けた分流コマと、前記上流側本体に取り付けられて、下流側に向けて広がる第２流路を設けた下流側本体とにより構成して、前記第１流路の下流側端部を、前記第２流路の上流側端部に対向させて構成している。
【先行技術文献】
【特許文献】
【０００８】
【特許文献１】特開２０１２−１３０９０１号公報
【発明の概要】
【発明が解決しようとする課題】
【０００９】
特許文献１のバブル発生器は、主に空気泡の発生を対象にしたものであり、炭酸ガス気泡の生成に適用するには加工が複雑で無駄が多すぎ、大型化し、経済的でないという問題がある。また、多数の通液孔を液体流路中に設けるのは、抵抗が増えるので小型化や逆止弁等の他の構成を設けるうえでも好ましいものではない。
【００１０】
そこで、本発明は、上記の問題に鑑み、給湯機の混合栓水吐出端の傍に近接して設けることができる構造が簡単で、小型化した炭酸泉マイクロバブル生成装置、炭酸泉マイクロバブルシャワー装置、マイクロバブル炭酸泉装置及び微細化吐出部材を提供することを課題とする。
【課題を解決するための手段】
【００１１】
前記目的を達成するための請求項１に記載の発明の炭酸泉マイクロバブル生成装置は、給湯器混合栓水出口に接続して用いる炭酸泉マイクロバブル生成装置であって、フロースイッチと、逆止弁、気液混合細分化部材と、連結部材、炭酸ガス導管、ケース、気体導管等から構成し、前記逆止弁と前記気液混合細分化部材とは直線状に近傍に連結すると共に、前記ケースに固定し、前記連結部材により給湯器混合栓水出口（シャワーホース接続）部に固定して接続し、前記フロースイッチの作動により温水が流れ出してから炭酸ガスを前記炭酸ガス導管から前記気液混合細分化部材に供給するようにしたことを特徴とする炭酸泉マイクロバブル生成装置である。
【００１２】
このように構成し、連結部材により給湯器混合栓水出口部に固定して接続し、炭酸ガス源や電源に接続し、フロースイッチやパイロットバルブを作動できるようにする。そして、操作つまみにより切換弁を操作して炭酸ガスを供給するようにする。これで、運転準備が完了である。そして、使用時に混合栓を操作して、温水（混合水）を流すと、フロースイッチが温水の流れを検知してパイロットバルブを開き、炭酸ガスが炭酸ガス源から気液混合細分化部材に導入される。そして、炭酸ガスは、温水中に混入され、微細化されたＰＨ５．０〜４．５の弱酸性の炭酸泉（混合水）となる。
【００１３】
このように構成することにより、一方向供給とし、ポンプモータや加圧溶解タンクを不要とし、家庭用浴室内に容易に設置することが可能である。取り付け、設置が簡単で、浴
室内の占有面積に影響せず、小型、安価にすることができる。
【００１４】
請求項２に記載の発明は、
請求項１に記載の炭酸泉マイクロバブル生成装置において、前記ケース内に二次電池を設けると共に、前記炭酸ガス導管にパイロットバルブを設け、前記炭酸ガス導管を前記気液混合細分化部材に前記パイロットバルブを介して接続し、前記フロースイッチで温水が流れたことを検出し、前記二次電池により前記パイロットバルブを作動して前記気液混合細分化部材に炭酸ガスを供給するようにしたことを特徴とする炭酸泉マイクロバブル生成装置である。
【００１５】
二次電池としては、ニッケル・カドミウム、ニッケル・水素蓄電池等のアルカリ蓄電池やリチウムイオン２次電池等の市販のものを使用することができる。リチウムイオン２次電池を用いれば、より小型軽量化を実現することができる。使用電圧は低い方が好ましく、ＤＣ１．２〜７．２Ｖの低電圧で使用する。二次電池を内蔵させることで、風呂場にも簡便に設置することができる。
【００１６】
請求項３に記載の発明は、
請求項１又は請求２のいずれかに記載の炭酸泉マイクロバブル生成装置において、前記気液混合細分化部材と炭酸ガス源を接続する炭酸ガス導管に、前記炭酸ガス源側から、順次、前記パイロットバルブ、切換弁とを設け、該切換弁と気液混合細分化部材との気体導管に、順次、チェック弁、流量調節弁を設け、前記気液混合細分化部材において温水に炭酸ガス気泡を分散させるようにしたことを特徴とする炭酸泉マイクロバブル生成装置である。
【００１７】
請求項４に記載の発明は、
請求項１ないし請求項３のいずれか１項に記載の炭酸泉マイクロバブル生成装置において、前記炭酸ガス導管の前記切換弁は炭酸ガスと空気又は／及び他の混合成分の取り入れを切り換えるようにしたことを特徴とする炭酸泉マイクロバブル生成装置である。
【００１８】
切換弁の他方の導入口に、空気に限らず、所要の際には、液体又は気体の香料、殺菌用のオゾン、薬用成分等の他の混合成分を供給するため、注入器等を接続する。他の混合成分を供給する場合において、炭酸ガス導管又は気体導管で供給する装置としてもよいことはもちろんである。
【００１９】
請求項５に記載の発明は、
請求項１ないし請求項４のいずれか１項に記載の炭酸泉マイクロバブル生成装置におい
て、前記気液混合細分化部材に微細化部材を加えて構成した混合微細化ユニットを備えたことを特徴とする炭酸泉マイクロバブル生成装置である。
【００２０】
請求項６に記載の発明は、
請求項１ないし請求項５のいずれか１項に記載の炭酸泉マイクロバブル生成装置において、前記気液混合細分化部材は、下流側管状部材と気液混合ノズル部材とを有し、前記下流側管状部材の流路には、噴出段部が設けられ、該噴出段部の上流側の外周には、気体導入孔が穿設され、内部には気液混合ノズル部材が流路と同心円状に設けられているとともに、前記噴出段部の開口と前記気液混合ノズル部材の開口とは対向して、かつ間隔を有して設けられたことを特徴とする炭酸泉マイクロバブル生成装置である。
【００２１】
請求項７に記載の発明は、
請求項１ないし請求項６のいずれか１項に記載の炭酸泉マイクロバブル生成装置において、前記炭酸ガスの漏れを検知するガス漏れ検知手段と、前記炭酸ガスの漏れを検知したら前記炭酸ガス導管への炭酸ガスの供給を遮断する遮断弁を備えたこと特徴とする炭酸泉マイクロバブル生成装置である。
【００２２】
請求項８に記載の発明は、
請求項１ないし請求項７のいずれか１項に記載の炭酸泉マイクロバブル生成装置において、前記ガス漏れ検知手段を前記気体導管に設けた圧力センサとしたこと特徴とする炭酸泉マイクロバブル生成装置である。
【００２３】
請求項９に記載の炭酸泉マイクロバブル生成シャワー装置の発明は、
請求項１ないし請求項８のいずれか１項に記載の炭酸泉マイクロバブル生成装置に接続してシャワーヘッドを設けたことを特徴とする。
【００２４】
請求項１０に記載の発明のマイクロバブル炭酸泉装置は、
請求項１ないし請求項９のいずれか１項に記載の炭酸泉マイクロバブル生成装置に脱着自在に接続して微細化吐出部材を浴槽に備えたことを特徴とする。
【００２５】
請求項１１に記載の発明のマイクロバブル炭酸泉装置に使用する微細化吐出部材は、
前記マイクロバブル炭酸泉装置の炭酸泉マイクロバブル生成装置の下流に設けられる微細化吐出部材であって、流路に段部が設けられ、吐出端部側で絞られていることを特徴とする。
【００２６】
請求項１２に記載の発明は、
請求項１０または１１に記載の炭酸泉マイクロバブル生成装置の下流に設けられる微細化吐出部材であって、流路に複数の旋回案内が設けられていることを特徴とする。
【発明の効果】
【００２７】
請求項１に記載の発明においては、一方向供給方式とし、ポンプモータや加圧溶解タンクを不要とし、家庭用浴室内に容易に取付することができる。しかも、単純な構造のため小型化することができ、軽量化することができ、且つ安価にすることができる。
【００２８】
簡単な構造で、小型・軽量にしたので、微細炭酸泉マイクロバブル生成装置を給湯器混合栓水出口部に確実に取り付けることができる。また、ケースを防水タイプにすることで、水を扱う場所や湿気の多い場所で安全に使用することができる。
【００２９】
請求項２に記載の発明においては、請求項１の効果に加えて、低電圧（ＤＣ１．２〜７．２Ｖ）の電源を内蔵しているため、電源を取れない場所にも設置することができ、使い勝手をよくすことができる。
【００３０】
請求項３に記載の発明においては、請求項１の効果に加えて、炭酸ガスの供給を確実安全にできる。
【００３１】
請求項４に記載の発明においては、請求項１の効果に加えて、必要に応じて、空気泡（マイクロバブル）と炭酸ガス泡（炭酸泉マイクロバブル）とを自由に選択することができる。
【００３２】
請求項５に記載の発明においては、請求項１の効果に加えて、より微細なミクロン単位の割合の多い気泡分散温水（炭酸泉）を得ることができる。
【００３３】
請求項６に記載の発明においては、請求項１の効果に加えて、確実に微細な炭酸ガス泡の分散した炭酸泉を得ることができる。
【００３４】
請求項７に記載の発明においては、請求項１の効果に加えて、炭酸ガスの漏れによる炭酸ガスの浪費と炭酸ガスの充満による危険の発生をなくすことができる。
【００３５】
請求項８に記載の発明においては、請求項１の効果に加えて、炭酸ガスの漏れによる炭酸ガスの浪費と炭酸ガスの充満による危険の発生を小型軽量な簡単な装置でなくすことができる。
【００３６】
請求項９に記載の発明においては、請求項１の効果に加えて、血行の促進、血圧の低下、
冷え性の改善などの炭酸泉の効能を有効に活用することができる。
【００３７】
請求項１０に記載の発明においては、請求項１の効果に加えて、炭酸泉の効能を有効に活用することができる。
【００３８】
請求項１１に記載の発明においては、請求項１の効果に加えて、より微細な炭酸ガス泡を生成することができ、炭酸泉の効能を一層有効に活用することができる。
【００３９】
請求項１２に記載の発明においては、請求項１１の効果に加えて、より一層微細な炭酸ガス泡を生成することができる。
【図面の簡単な説明】
【００４０】
【図１】炭酸泉マイクロバブル生成装置の第１の発明の概略構成を示す一部破断した正面図である。
【図２】その左側面図である。
【図３】炭酸泉マイクロバブル生成装置を構成する気液混合細分化部材の断面図である。
【図４】第１の発明の炭酸泉マイクロバブル生成装置の概略構成を示すブロック図である。
【図５】炭酸泉マイクロバブル生成装置を構成する気液混合細分化部材の他の例の断面図である。
【図６】第２の発明の炭酸泉マイクロバブル生成装置の概略構成を示すブロック図である。
【図７】第３の発明の炭酸泉マイクロバブル生成装置の概略構成を示すブロック図である。
【図８】第３の発明の炭酸泉マイクロバブル生成装置を備えた炭酸泉マイクロバブルシャワー装置の概略構成を示すブロック図である。
【図９】第４の発明のマイクロバブル炭酸泉装置の概略構成を示す一部断面した断面図である。
【図１０】その側面図である。
【図１１】それを構成する微細化吐出部材の断面図である。
【図１２】その概略構成を示すブロック図である。
【図１３】第５の発明のマイクロバブル炭酸泉装置の概略構成を示すブロック図である。
【図１４】第５の発明を構成する混合微細化ユニットの微細化部材の断面図である。
【図１５】第６の発明のマイクロバブル炭酸泉装置の概略構成を示すブロック図である。
【図１６Ａ】第６の発明の炭酸泉マイクロバブル生成装置を運転するときのフローチャートである。
【図１６Ｂ】その続きのフローチャートである。
【図１７】第１の発明の炭酸泉マイクロバブル生成装置により発生した気泡の粒径分布図である。
【発明を実施するための形態】
【００４１】
Ａ．炭酸泉マイクロバブル生成装置Ａ
以下、実施の形態に基づき、本発明を図面を参照しつつ説明する。
図１は炭酸泉マイクロバブル生成装置の第１の発明の概略構成を示す一部断面した正面
図、図２はその左側面図、図３は炭酸泉マイクロバブル生成装置を構成する気液混合細分化部材の断面図、図４は炭酸泉マイクロバブル生成装置の第１の発明の概略構成を示すブロック図、図５は炭酸泉マイクロバブル生成装置を構成する気液混合細分化部材の他の例の断面図である。
【００４２】
本発明の炭酸泉マイクロバブル生成装置１は、給湯器混合栓水出口に接続して用いる装置で、給湯器から出てくる温水の流れを検出するフロースイッチ１１と、気体が逆流するのを防ぐ逆止弁１２と、温水中に気体を混合すると共に気体を微細な気泡にする気液混合細分化部材１３と、給湯器混合栓から出る温水の配管に連結する連結部材１４と、気液混合細分化部材１３に炭酸ガスを供給する炭酸ガス導管１５と、フロースイッチ１１や逆止弁１２や気液混合細分化部材１３等の主要部材を固定するケース１６で構成されている。図１中符号4は電池である。電池としては、一次電池、二次電池いずれも使用することができる。
【００４３】
フロースイッチ１１は、一方の下流側で逆止弁１２にねじ込みで接続され、他方の上流側で給湯器混合栓水出口に連結部材１４により連結している。フロースイッチ１１としては、市販のスイッチを使用することができる。フロースイッチ１１により温水の流れが検知されると、この検知信号が炭酸ガスの流れをＯＮ／ＯＦＦ制御するパイロットバルブ１７に出力され、温水に混合する炭酸ガスの流れをＯＮにする。フロースイッチ１１と逆止弁１２とはねじ込みにより接続されている。これにより、より小型化が図れる。
【００４４】
逆止弁１２は温水に混合した気体が、給湯器の方へ逆流して給湯器の焼き付けや、効率低下を生じないようにしている。下流側には気液混合細分化部材１３がねじ込みにより、近接して取り付けられ、直線状に連結されている。逆止弁１２と気液混合細分化部材１３が直接連結されていることにより、装置を小型化できる。
【００４５】
気液混合細分化部材１３は、原理的には、温水流路を絞り圧力を低くし、その部分で気体を吸引し、混合細分化して放出する方式を採用している。図３に１例を示すように、上流側管状部材３１と下流側管状部材３２とリング状パッキン３３と気液混合ノズル部材３４とで構成している。上流側管状部材３１と下流側管状部材３２とは、リング状のパッキン３３を介在して密に連結している。気液混合ノズル部材３４は、下流側管状部材３２の軸心と同心に配置されている。
【００４６】
上流側管状部材３１の上流側端部には、雌ねじ３１ａが設けられ、逆止弁１２と連結されるようになっている。また、上流側管状部材３１の流路は、上流側部材段部３１ｂにより内径が拡大している。これにより、流速を変化させるようにしている。他方の下流側端部には、雌ねじ３１ｃが設けられ、下流側管状部材３２と連結されるようになっている。
【００４７】
気液混合細分化部材１３の下流側管状部材３２の上流側端部には、雄ねじ３２ａが設けられ、上流側管状部材３１の雌ねじ３１ｃと螺合するようになっている。そして、雄ねじ３２ａの元部には凹溝３２ｂが設けられ、凹溝３２ｂに気密性を保つパッキン３３が嵌合している。これにより、混合微細化を効率よく行えるようにした気液混合細分化部材１３からの漏水を防いでいる。
【００４８】
また、下流側管状部材３２の流路には、噴出段部３２ｃが設けられ、流路を噴出段部３２ｃで開口径をＤ０に絞った後、漸次、内径を拡大させる拡大部３２ｄを設けている。これにより、流速を変化させ、負圧を発生させるようにしている。
【００４９】
また、下流側管状部材３２の噴出段部３２ｃの上流側の外周には、気体導入孔３２ｅが穿設され、内部には気液混合ノズル部材３４が下流側管状部材３２と同心円状に配置されている。気液混合ノズル部材３４を所定位置に配置するため、下流側管状部材３２の流路内にストッパー３２ｆが設けられている。
【００５０】
気液混合ノズル部材３４は、流入部３４ａに続いて絞り部３４ｂが形成され、先端部に
直径がｄ０のノズル部３４ｃが形成されて、そのまま開口されている。気液混合ノズル部材３４ｃの先端部と下流側管状部材３２の噴出段部３２ｃとは間隔Ｓで配置される。そして、気液混合ノズル部材３４の先端のノズル部３４ｃの開口が下流側管状部材３２の噴出段部３２ｃの絞った流路に対向して開口している。ノズル部３４ｃの開口径をｄ０とし、噴出段部３２ｃの開口径をＤ０としたとき、ｄ０／Ｄ０＜１としている。好ましくはｄ０／Ｄ０＝０．９８〜０．７０である。より好ましくはｄ０／Ｄ０＝０．９５〜０．８０である。これにより、温水を気液混合ノズル部材３４の流路で絞って高速で噴出して圧力を低め、気体導入孔３２ｅから気体を容易に吸入し、気体を温水に均一に混入する。間隔Ｓの間隙から炭酸ガスや空気又は他の混合成分が温水中に吸引され、均一に混入され、気体は微細化される。その後、噴出段部３２ｃから、順次、内径を拡大させる拡大部３２ｄを通過させて噴出する。気体泡と温水を混合して気液混合細分化部材１３から噴出するようにしたことで、気泡の微細化を図っている。気液混合細分化部材１３から放出する炭酸泉は吐出側連結部材２６を経て、温水導管によりシャワーヘッド、浴槽等の炭酸泉を使用する機器へ供給される。
【００５１】
気液混合細分化部材１３の気体導入孔３２ｅに接続して気体導管１８が接続し、気体導管１８には、流量調節弁１９、チェック弁２０、切換弁２１が設けられている。切換弁２１は、空気取り入れ部材２２に接続していると共に、炭酸ガス導管１５により炭酸ガス源接続部材２４を介して炭酸ガス源２３に接続している。
【００５２】
炭酸ガス導管１５には、切換弁２１と炭酸ガス源接続部材２４との間にパイロットバルブ１７が設けられている。ガスボンベなどの炭酸ガス源２３から供給される炭酸ガスは、切換弁２１により炭酸ガス泡を発生するように切り換えられる。すると、炭酸ガス導管１５により炭酸ガス源２３から圧力調整器２５により圧力を調整され、炭酸ガス源接続部材２４、パイロットバルブ１７、切換弁２１を通り、気体導管１８によりチェック弁２０、流量調節弁１９を経て気液混合細分化部材１３に供給される。
【００５３】
切換弁２１は、気液混合細分化部材１３と炭酸ガス導管１５と空気取り入れ部材２２とに接続し、炭酸ガスと空気または／及び他の混合成分とを切り換えて、気液混合細分化部材１３にいずれか一方ずつまたは他の混合成分と共に、供給できるようにしている。そして、切換弁２１の切換の操作は切換スイッチ２９により操作する。切換弁２１の状態は、切換弁表示灯２９ａで表示し、炭酸泉マイクロバブル生成装置の気泡成分の確認は視覚で確実にできるようになっている。
【００５４】
他の混合成分は、液体又は気体の香料、殺菌用のオゾン、薬用成分等である。この他の混合成分は、混合成分の性状、混合量等により、空気取り入れ部材２２で取り入れないで、気体導管１８の途中に添加装置を設けてそのまま添加してもよい。また、添加装置を気体導管１８に設け、添加成分源をケース外に設けるようにしてもよい。
【００５５】
炭酸泉マイクロバブル生成装置１は、連結部材１４により混合栓出口Ｍ１の湯水配管に取り付けることができる。さらに、壁等に固定するために、固定部材２をケース１６に固着し、固定部材２に吸着盤等の固着部材３を取り付けて、固着部材３で壁等に固定する。このように、連結部材１４の固定を補助するための固着部材３等の手段を設けるのが好ましく、強力な吸着盤などは手軽に固定できるので特に好ましい。連結部材１４をエルボー１４ａとユニオン１４ｂ等で構成すると、エルボー１４ａにより上下と横方向に部材の長さを分割できる結果、設置の省スペース化を図れる。
【００５６】
炭酸泉マイクロバブル生成装置１においては、ケース１６を防滴、防水タイプの封鎖型に構成する場合に、外部との接続は防水式にする必要がある。そのため、炭酸ガス接続部材２４に加えて、電源接続部材２７を備えている。さらに、気液混合細分化部材１３に供給する炭酸ガス又は空気の量を調節する操作つまみ２８等をケース１６の内外を連絡して設けている。
【００５７】
なお、気液混合細分化部材１３の下流側管状部材３２は、上記した段部を形成したものに、限られない。例えば、図５に示すように、構成してもよい。この気液混合細分化部材１３の下流側管状部材３５は、雄ねじ３２ａが設けられ、上流側管状部材３１の雌ねじ３１ｃと螺合するようになっている。そして、雄ねじ３２ａの元部には凹溝３２ｂが設けられ、凹溝３２ｂに相互の機密保持のため、パッキンが嵌合されるようになっている。これにより、混合微細化を効率よく行えるようにした気液混合細分化部材１３からの漏水を防いでいる。
【００５８】
また、下流側管状部材３５の流路は、縮小部３５ａと拡大部３２ｄが形成され、縮小部３５ａで流路を拡大部３２ｄとの境界部に向けて絞っている。その後、拡大部３２ｄで、順次、内径を拡大させている。
【００５９】
また、下流側管状部材３５の縮小部３５ａと拡大部３２ｄとの境界部付近の外周には、気体導入孔３２ｅが温水流路に導通して穿設されている。下流側管状部材３５の下流側には雄ねじ３２ｆが設けられている。
【００６０】
上記のように構成してなる炭酸泉マイクロバブル生成装置１は、混合栓水出口の湯水配管に連結部材１４により取り付けることができる。さらに、壁等に固定するために、固定部材２をケース１６に固着し、固定部材２に吸着盤等の固着部材３を取り付けて、固着部材３で壁等に固定する。このように、連結部材１４だけでの固定を補助する手段を設けるのが好ましく、固定部材により吸着盤などで固定することが、手軽に固定できるので特に好ましい。
【００６１】
以下に、炭酸泉マイクロバブル生成装置１により炭酸ガス気泡混入温水を洗面所の給湯器から発生させ、洗面所で使用する場合について説明する。
【００６２】
まず、給湯器の混合栓Ｍの温水出口の導管に連結部材１４で取り付ける。吐出側連結部材２６でシャワーヘッド接続管や浴槽供給管や蛇口接続部等に取り付ける。
【００６３】
次いで、電源接続部２７を介して電源に接続し、フロースイッチ１１やパイロットバルブ１７を作動できるようにする。また、炭酸ガスボンベ２３に炭酸ガス源接続部材を接続した後、圧力調整器２５を調節して供給する炭酸ガスの圧力を所要の圧力（所要の混合量やバブル径等により異なるが、例えば、０．１Ｍｐａ〜０．４Ｍｐａにする。
【００６４】
次いで、操作つまみ２８により切換弁２１を操作して炭酸ガスを気液混合細分化部材１３に供給するようにする。
【００６５】
これで、運転準備が完了である。混合栓を操作して、温水を流すと、フロースイッチ１１が温水の流れを検知してパイロットバルブ１７を開き、炭酸ガスを炭酸ガス源２３から炭酸ガス導管１５へ流す。
【００６６】
炭酸ガスは、切換弁２１を通過し、チェック弁２０、流量調節弁１９を通り、気体導入孔３２ｅから気液混合細分化部材１３に導入される。そして、炭酸ガスは、気液混合ノズル部材３４の周囲からその先端で温水中に混入され、拡大部３２ｄで流路が拡大することで、微細化され分散される。
【００６７】
上記の炭酸泉マイクロバブル生成装置は、小型であるので、安価に得ることができ、混合栓に容易に取り付けることができる。また、操作も簡単なため使用しやすい。
【００６８】
Ｂ．炭酸泉マイクロバブル生成装置Ｂ：
炭酸泉マイクロバブル生成装置の他の例について、図面に基づいて説明する。
図６は炭酸泉マイクロバブル生成装置の他の形態の概略構成を示すブロック図である。
【００６９】
本発明の炭酸泉マイクロバブル生成装置において、上記炭酸泉マイクロバブル生成装置１と同様な作用するものについては、同一符合を付して詳細な説明は  省略する。
【００７０】
炭酸泉マイクロバブル生成装置１は、給湯器混合栓水出口に接続して用いる装置で、給湯器から出てくる温水の流れを検出するフロースイッチ１１と、気体が逆流するのを防ぐ逆止弁１２と、温水中に気体を混合すると共に気体を微細な気泡にする気液混合細分化部材１３と、炭酸泉マイクロバブル生成装置１を給湯器から出る温水の配管に連結する連結部材１４と、気液混合細分化部材１３に炭酸ガスを供給する炭酸ガス導管１５と、フロースイッチ１１や逆止弁１２や気液混合細分化部材１３等の主要部材を固定するケース１６と、炭酸ガスの漏れを検知する漏れ検知手段であるガス圧力センサ６１を備えている。
【００７１】
ガス圧力センサ６１は、パイロットバルブ１７より下流側で、気液混合細分化部材１３の上流側の気体導管１８又は炭酸ガス導管１５に設けられている。もし、ガス漏れを検知したら、ガス遮断弁６２を遮断し、ガスボンベからのガスの供給を止め、ガス漏れ警報ブザーＢ１を吹鳴し、警報を発する。遮断弁６２の操作信号は、無線で行うことが好ましい。圧力センサ６１としては、市販のものが使用できる。なお、ガス漏れ検知手段としては、圧力センサではなくて、漏れた室内の炭酸ガス濃度を測定するガス濃度センサであってもよい。
【００７２】
Ｃ．炭酸泉マイクロバブル生成装置Ｃ：
炭酸泉マイクロバブル生成装置の他の例について、図面に基づいて説明する。
図７は炭酸泉マイクロバブル生成装置の他の形態の概略構成を示すブロック図である。
【００７３】
本発明の炭酸泉マイクロバブル生成装置において、上記炭酸泉マイクロバブル生成装置１と同様な作用するものについては、同一符合を付して詳細な説明は省略する。
【００７４】
炭酸泉マイクロバブル生成装置１Ａは、給湯器混合栓水出口に接続して用いる装置で、給湯器から出てくる温水の流れを検出するフロースイッチ１１と、気体が逆流するのを防ぐ逆止弁１２と、温水中に気体を混合すると共に気体を微細な気泡にする気液混合細分化部材１３と、炭酸泉マイクロバブル生成装置１を給湯器から出る温水の配管に連結する連結部材１４と、気液混合細分化部材１３に炭酸ガスを供給する炭酸ガス導管１５と、フロースイッチ１１や逆止弁１２や気液混合細分化部材１３等の主要部材を固定するケース１６と、電池４が設けられている。
【００７５】
電池４は、フロースイッチ１１、パイロットバルブ１７，切換弁２１等の作動動力や検知信号の送信動力として使用する。電池４としては、マンガン乾電池、アルカリ・マンガン乾電池やリチウム電池等の一次電池を使用できるし、ニッケル・カドミウム、ニッケル・鉄蓄電池やリチウムイオン二次電池等の二次電池を使用できる。二次電池として、例えば、直流１．２〜７．２Ｖの二次電池が使用される。電池４を設けることによって、電源のない浴室などにも設置することができ、使用分野を拡大することができる。また、防水性を向上することで、一層安全性を高めることができる。
【００７６】
Ｄ．炭酸泉マイクロバブルシャワー装置：
以下、第２の発明の気泡分散シャワーを得る炭酸泉マイクロバブルシャワー装置を実施の形態に基づき、図面を参照しつつ具体的に説明する。図８は炭酸泉マイクロバブルシャワー装置の概略構成を示すブロック図である。
【００７７】
炭酸泉マイクロバブルシャワー装置は、図８に示すように、炭酸泉マイクロバブル生成装置１Ａと気泡分散シャワー装置４０とから構成している。図中の符号４０ａはシャワーヘッドである。
【００７８】
本発明の炭酸泉マイクロバブルシャワー装置において、上記炭酸泉マイクロバブル生成装置１Ａと同様な作用するものについては、同一符合を付して詳細な説明は省略する。
【００７９】
この実施の形態の炭酸泉マイクロバブル生成装置は、炭酸泉マイクロバブル生成装置１Ａと同様に、構成している。例えば、給湯器から出てくる温水の流れを検出するフロースイッチ１１と、気体が逆流するのを防ぐ逆止弁１２と、温水中に気体を混合すると共に気体を微細な気泡にする気液混合細分化部材１３と、炭酸泉マイクロバブル生成装置１Ａを給湯器から出る温水の配管に連結する連結部材１４と、気液混合細分化部材１３に炭酸ガスを供給する炭酸ガス導管１５と、フロースイッチ１１や逆止弁１２や気液混合細分化部材１３等の主要部材を固定するケース１６と、電池４が設けられている。
【００８０】
炭酸泉マイクロバブル生成装置とシャワーヘッド４０ａを直接接続することにより、手軽に炭酸泉シャワーを使用することができる。
【００８１】
なお、この発明の炭酸泉マイクロバブルシャワー装置において、炭酸泉マイクロバブル生成装置の構成は、炭酸泉マイクロバブル生成装置１Ａの構成に限られない。電源が容易に利用でき、防水性をそれほど必要としない場所で使用する場合には、炭酸泉マイクロバブル生成装置１Ａの構成で、ケースの構造も覆う構造を採用しなくてもよい。
【００８２】
Ｅ．マイクロバブル炭酸泉装置Ａ        
以下、第４の発明のマイクロバブル炭酸泉装置の実施の形態に基づき、本発明を図面を参照しつつ具体的に説明する。        
図９はマイクロバブル炭酸泉装置の概略構成を示す一部破断した正面図、図１０はその右側面図、図１１はその構成部材の微細化吐出部材を示す断面図、図１２その概略構成を示すブロック図である。
【００８３】
マイクロバブル炭酸泉装置は、炭酸泉マイクロバブル生成装置１Ｂと三方弁５と気泡分散シャワー装置４０と炭酸泉装置５０等から構成している。炭酸泉装置５０は、浴槽５０ａと浴槽中で再度微細化気泡を作成する微細化吐出部材３０等を有している。
【００８４】
本発明のマイクロバブル炭酸泉装置において、上記炭酸泉マイクロバブル生成装置１，１Ａと気泡分散シャワー装置４０と同様な作用するものについては、同一符合を付して詳細な説明は省略する。
【００８５】
炭酸泉マイクロバブル生成装置１Ｂは、炭酸泉マイクロバブル生成装置１、１Ａと、概略同様に、構成している。例えば、給湯器から出てくる温水の流れを検出するフロースイッチ１１と、気体が逆流するのを防ぐ逆止弁１２と、温水中に気体を混合すると共に気体を微細な気泡にする気液混合細分化部材１３と、炭酸泉マイクロバブル生成装置１を給湯器から出る温水の配管に連結する連結部材１４と、気液混合細分化部材１３に炭酸ガスを供給する炭酸ガス導管１５と、フロースイッチ１１や逆止弁１２や気液混合細分化部材１３等の主要部材を固定するケース１６と、電池４が設けられ、細分化吐出部材３０を有している。また、シャワーヘッド４０ａと浴槽に微細化吐出部材３０を固定する吸盤等の固定具を取り付ける固定具取付部材４１を備えている。
【００８６】
微細化吐出部材３０は、ホース３６と連結する本体部材３７と気液が混合した温水中の気体を噴出するノズル部材３８と、旋回案内部材３９等を有している。
【００８７】
本体部材３７の流路は軸方向から炭酸泉が流入し、半径方向に旋回して流出するように、本体部材３７の軸心方向に対して直角方向からノズル部材３８を取り付けている。
【００８８】
ノズル部材３８の流路を入り口側３８ｂから出口側の第３段部３８ｅにかけて縮小し、先端開放端３８ｉではノズル部材３８の軸心を挟む角度θを６０°〜１５０°に拡げている。このようにすることで、微細なミクロン単位の気泡を作成することができる。
【００８９】
先端開放端３８ｉまでの流路の縮小の形状としては、図１０に示すように、第１段部３８ａを設けて縮小し、第１段部３８ａと第２段部３８ｃの間に混合泡収束空間３８ｄを形成する。第２段部３８ｃから第３段部３８ｅまで流路を絞り、第２段部３８ｃと第３段部３８ｅの間に混合泡収斂空間３８ｆを形成する。さらに第３段部３８ｅから第４段部３８ｇまで流路をほぼ一定にし、第３段部３８ｅから第４段部３８ｇ間に混合泡加圧空間３８ｈを形成する。そして、第３段部３８ｅから先端開放端３８ｉまで流路を拡大した混合泡微細化拡散空間３８ｊを形成する。混合温水の流路を、この発明のように構成し、順次、縮小するようにすると、気体分の圧縮、縮小からノズル部を経ての拡大により微細気泡細分化を得るうえで好ましい。
【００９０】
ノズル部材３８の流路中に、複数の旋回案内部材３９を配置し、気泡の分散した炭酸泉に旋回を与えると共に、流路を縮小することで、流速を上げる。そして、先端から急速に拡大して放出することで、気泡をさらに細分化して微少なミクロン単位の気泡とする。
【００９１】
上記のように構成してなるマイクロバブル炭酸泉装置を炭酸泉に使用する場合について説明する。
【００９２】
炭酸泉マイクロバブル生成装置の取り付けは、混合栓出水側の導管の接続を上記のようにして行い、電池が使用できるように配設する。尚、２次電池の場合は充電をする。
【００９３】
この発明において、炭酸泉マイクロバブル生成装置は、混合栓水出口の湯水配管に連結部材１４により取り付けることができる。さらに、壁等に固定するために、固定部材２をケース１６に固着し、固定部材２に吸着盤等の吸着部材３を取り付けて、吸着部材３で壁等に固定する。連結部材１４だけでの固定を補助する手段を設けるのが好ましく、吸盤などは手軽に固定できるので特に好ましい。炭酸泉マイクロバブル生成装置の出口側は連結部材２６により、ホース３６に接続する。
【００９４】
微細化吐出部材３０を浴槽５０ａに吸盤固定具取付部材４１に取り付けた吸盤等の吸着部材３ａで固定し、ホース３６と接続して三方弁５と接続する。
【００９５】
そして、炭酸ガスの供給、調節や作動電力の起動、調整つまみ、バルブ、弁の設定を浴室で使用するように準備をする。
【００９６】
本発明においては、炭酸泉温水が系内で循環しない形式であるので、浴槽に少し温水を入れてから、炭酸泉マイクロバブル生成装置を運転して炭酸泉を供給する。
【００９７】
Ｆ．マイクロバブル炭酸泉装置Ｂ
以下、第５の発明のマイクロバブル炭酸泉装置の実施の形態に基づき、図面を参照しつつ説明する。
図１３は炭酸泉装置の概略構成を示すブロック図、図１４はその構成部材の微細化部材を示す断面図である。
【００９８】
マイクロバブル炭酸泉装置は、三方弁５と微細化部材１３ａを備えた炭酸泉マイクロバブル生成装置１ｃと気泡分散シャワー装置４０と微細化吐出部材３０を備えた炭酸泉装置５０等から構成されている。
【００９９】
本発明のマイクロバブル炭酸泉装置において、上記炭酸泉マイクロバブル生成装置１Ｂと気泡分散シャワー装置４０と炭酸泉装置５０と同様な作用をするものについては、同一符合を付して詳細な説明は省略する。
【０１００】
炭酸泉マイクロバブル生成装置１ｃは、炭酸泉マイクロバブル生成装置１Ｂと同様に、例えば、給湯器から出てくる温水の流れを検出するフロースイッチ１１と、気体が逆流するのを防ぐ逆止弁１２と、温水中に気体を混合すると共に気体を微細な気泡にする気液混合細分化部材１３と、炭酸泉マイクロバブル生成装置１を給湯器から出る温水の配管に連結する連結部材１４と、気液混合細分化部材１３に炭酸ガスを供給する炭酸ガス導管１５と、フロースイッチ１１や逆止弁１２や気液混合細分化部材１３等の主要部材を固定するケース１６と、電池４等が設けられ、さらに、微細化部材１３ａを備えて構成している。この発明の大きな特徴は、炭酸泉マイクロバブル生成装置を気液混合細分化部材１３と微細化部材１３ａとで混合微細化ユニットを形成して構成していることである。また、微細化吐出部材３０、シャワーヘッド４０ａと浴槽に微細化吐出部材３０を固定する固定具取付部材４１を備えている。
【０１０１】
炭酸泉マイクロバブル生成装置１ｃは、気液混合細分化部材１３の下流に、微細化部材１３ａを設けて構成している。微細化部材１３ａは、図１４に示すように、ノズル部１１３と整流部１３ｃとから構成されている。ノズル部１１３には雌ねじ１３ｄが設けられ、気液混合細分化部材１３の下流端部の雄ねじが螺合するようにしている。このように、直接連結することで、小型化している。さらに、ノズル部１１３の流路径は段部１３ｅ、１３ｆにより絞られ、気泡の混合と微細化が効果的に行えるようにしている。
【０１０２】
整流部１３ｃは、中心の流路１３ｇがノズル部の流れる方向から直角に形成されている。
下流端には雄ねじ１３ｈが設けられ、連結部材２６に連結され、三方弁５に接続される。
【０１０３】
炭酸泉マイクロバブル生成装置で温水に気泡を分散させるのに、気液混合細分化部材に加えて、微細化部材を設けることで、洗浄や血流の促進等に効果的なミクロン単位のより微細な気泡が分散した炭酸泉や洗浄水が得られる。しかも、装置を小型軽量に構成できるようにしたので、設置スペースを少なくでき、安価にすることができる。
【０１０４】
Ｇ．マイクロバブル炭酸泉装置Ｃ
以下、第６の発明の炭酸泉装置の実施の形態に基づき、図面を参照しつつ説明する。
図１５はマイクロバブル炭酸泉装置の概略構成を示すブロック図、図１６Ａと図１６Ｂはそのマイクロバブル炭酸泉装置の運転操作を示すフローチャートである。
【０１０５】
マイクロバブル炭酸泉装置は、マイコン４Ｃと三方弁５と微細化部材１３ａとタイマーとガス漏れ検知手段等を備えた炭酸泉マイクロバブル生成装置１Ｅと、シャワーヘッド４０ａからなる気泡分散シャワー装置４０、及びホース３６と浴槽５０ａに設けられた微細化吐出部材３０を備えた炭酸泉装置５０等とから構成されている。
【０１０６】
本発明のマイクロバブル炭酸泉装置の炭酸泉マイクロバブル生成装置１Ｄにおいて、上記炭酸泉マイクロバブル生成装置１ｃ、気泡分散シャワー装置４０及び炭酸泉装置５０と同様な作用をするものについては、同一符合を付して詳細な説明は省略する。
【０１０７】
炭酸泉マイクロバブル生成装置１Ｄは、炭酸泉マイクロバブル生成装置１ｃと同様に、例えば、給湯器から出てくる温水の流れを検出するフロースイッチ１１と、気体が逆流するのを防ぐ逆止弁１２と、温水中に気体を混合すると共に気体を微細な気泡にする気液混合細分化部材１３と、炭酸泉マイクロバブル生成装置１を給湯器から出る温水の配管に連結する連結部材１４と、気液混合細分化部材１３に炭酸ガスを供給する炭酸ガス導管１５と、フロースイッチ１１や逆止弁１２や気液混合細分化部材１３等の主要部材を固定するケース１６と、電池４等が設けられ、さらに、微細化部材１３ａを備えて構成している。この発明の大きな特徴は、炭酸泉マイクロバブル生成装置にガス漏れ検知手段６１、微細化部材１３ａ、マイクロコンピュータ（マイコン）４ｃ、ブザーＢ１等を備えていることである。また、微細化吐出部材３０、シャワーヘッド４０ａと浴槽に微細化吐出部材３０を固定する固定具取付部材４１を備えている。
【０１０８】
マイコン４ｃは、一般のマイコンが使用でき、ＣＰＵ，ＲＡＭ，ＲＯＭ，Ｉ／Ｏとタイマーで構成されている。そして、下記するように、充電処理のＯＮ・ＯＦＦ、バルブの開閉、ブザーＢ１の吹鳴、ＬＥＤの点滅、ガス漏れの判定等、炭酸泉マイクロバブル生成装置からマイクロバブル炭酸泉装置の運転を制御する。
【０１０９】
ガス漏れ検知手段６１は、炭酸ガスの供給経路からの漏れを検知するもので、この第５の発明においては、パイロットバルブ１７より上流側のケース１６内の炭酸ガス導管１５に設けられている。ガス漏れ検知手段６１としては、市販のものガス圧力センサが使用できる。なお、漏れ検知手段としては、ガス圧力センサではなくて、漏れた室内の炭酸ガス濃度を測定するガスセンサであってもよい。
【０１１０】
ブザーＢ１は、炭酸ガスの漏れを検知したり、設定時間が経過したりの異常事態が発生した場合に吹鳴する。
【０１１１】
微細化部材１３ａは、図１３に示すように、ノズル部１１３と整流部１３ｃとから構成されている。上述したように、ノズル部１１３には雌ねじ１３ｄが設けられ、その流路径は段部１３ｅ、１３ｆにより絞られ、気泡の混合と微細化が効果的に行えるようにしている。
【０１１２】
上記のように構成してなる、第６の発明のマイクロバブル炭酸泉装置の運転について、図１６Ａ、図１６Ｂにより説明する。
【０１１３】
電源スイッチがＯＮか否か判定され、ＯＮの時（ＹＥＳ）はステップＳ１に進んで電源ＬＥＤを点灯し、ステップＳ２に進んで換気警報タイマをセットし、充電処理を実施し（Ｓ４）、ボンベバルブを開く（Ｓ５）。次いで、ステップＳ６に進んでガス圧が正常か否か判定され、正常の時（ＹＥＳ）はステップＳ７に進んでフロースイッチ１１がＯＮか否か判定され、フロースイッチ１１がＯＮの時（ＹＥＳ）はステップＳ８に進んでパイロットバルブ１７を開き、電源ＬＥＤを点滅し（Ｓ９）、換気警報タイマのカウントダウンを開始する（Ｓ１０）。
【０１１４】
換気警報タイマのカウントダウンを開始後の時間の経過を表示する経過時間表示処理を行う（Ｓ１１）。次いで、ステップＳ１２に進んで換気警報タイマがカウントアップか否かを判定し、カウントアップの時（ＹＥＳ）は換気警報ブザーＢ１を吹鳴する。そして、パイロットバルブ１７を閉じ（Ｓ１４）、ボンベバルブを閉じ、電源ＬＥＤを点滅から点灯に変えて点灯し（Ｓ１６）、充電処理をする（Ｓ１７）。
【０１１５】
なお、ステップＳ７において、フロースイッチ１１がＯＦＦの時、換気警報タイマがカウントアップしていない時はステップＳ４に戻り充電処理（Ｓ４）から続くステップＳ７迄の処理を繰り返す。ステップＳ７において、フロースイッチ１１がＯＮの時、パイロットバルブ１７を開くステップＳ８に進み、その後、順次、ステップＳ８からステップＳ１２に進む。ステップＳ１２で換気警報タイマがカウントアップか否かを判定し、ＹＥＳの時はステップＳ１３に進み、ＮＯの時はステップＳ４に戻り、処理を続ける。
【０１１６】
ステップＳ６において、ガス圧が正常でないと判定されたときは、ステップＳ１８に進み、順次、パイロットバルブ１７を閉じ、ボンベバルブを閉じ（Ｓ１９）、圧力吹鳴ブザーＢ１を吹鳴し（Ｓ２０）、所定の時間（例えば５分）経過したとき動作タイマ１のＬＥＤ灯Ｄ１を点灯し、さらに、同様にして、所定時間が経過したときに動作タイマ２、動作タイマ３、動作タイマ４、のＬＥＤ灯Ｄ２，Ｄ３，Ｄ４を点灯する。そして、電源ＬＥＤ灯を点灯し（Ｓ２５）、充電処理を行う（Ｓ２６）。
【０１１７】
このようにマイコンを使用して、ガス圧、時間等を制御すると、安全にマイクロバルブ炭酸泉を得ることができる。
【０１１８】
本願発明の炭酸泉マイクロバブル生成装置でミクロン単位の気泡の生成状態を調べるため、気液混合細分化部材を用いた第1の発明の炭酸泉マイクロバブル生成装置で温水に気泡を発生させて、気泡の径のテストを行った。その結果を図１７に示す。
【０１１９】
試験場所：大阪府立産業技術総合研究所  化学環境科
テスト条件：
水温度：２６℃
室温温度：３２℃
炭酸ガス：液化炭酸ガス
炭酸ガス流量：1.2〜9.5ｌ/min
給湯器湯水流量：３〜８ｌ/min
炭酸ガス供給圧力：0.1〜0.4MPa
【０１２０】
テスト方法
レーザ回折/散乱式粒度分布測定装置 （LA-920  堀場製作所製）により測定した。
【０１２１】
テストの結果：
図１５に示すように、第1の発明の炭酸泉マイクロバブル生成装置では、炭酸泉マイクロバブル径は3μｍ〜15μｍ以下の粒径が全体の85%を占め、微細なマイクロバブルを得ることが出来た。図１５の矢印Ｂで示される、残り15%の粒径が400μｍ以上の部分は、測定時の資料液の注入時に泡が発生したものと思われる。それが測定結果に出てきているのである。
【０１２２】
このように、本願発明においては、２０μｍ以下の頻度が８５％以下に出来ている。すなわち、８５％以上の気泡を１５μｍ以下にすることができる。
【０１２３】
以上本発明を実施の形態に基づいて説明したが、本発明は以上の実施の形態に限定されるものではない。本発明と同一および均等の範囲内において、以上の実施の形態に対して種々の変更を加えることが可能である。
【符号の説明】
【０１２４】
１，１Ａ，１Ｂ，１ｃ、１Ｄ        
炭酸泉マイクロバブル生成装置
２        
固定部材
３        
固着部材
４        
二次電池
４a        表示灯
５        
三方弁
１１       フロースイッチ
１２       逆止弁
１３       気液混合細分化部材  
１３ａ     微細化部材
１４       連結部材
１５       炭酸ガス導管
１６       ケース
１７       パイロットバルブ
１８       気体導管
１９       流量調節弁
２０       チェック弁
２１       切換弁
２２       空気取り入れ部材
２３       炭酸ガス源（ボンベ）
２４       炭酸ガス源接続部材
２５       圧力調整器
２６       吐出側連結部材
２７       電源接続用ジャック  
２９       切換スイッチ
３０       微細化吐出部材
３１       上流側管状部材
３２       下流側管状部材
３２ｃ     噴出段部
３２ｄ     拡大部
３２ｅ     気体導入孔
３４       気液混合ノズル部材
３４ａ     流入部
３４b      流入部
３４c      ノズル部
３４d      流入部
３５       下流側管状部材
３６       ホース
３６a      ホース金具
３７       本体部材
３８       ノズル部材
３８a      第１段部
３８ｃ     第２段部
３８ｄ     混合泡収束空間
３８ｅ     第３段部
３８ｆ     混合泡収斂空間
３８ｇ     第４段部
３８ｈ     混合泡加圧空間
３８ｉ     先端開放端
３９       旋回案内部材
４０       気泡分散シャワー装置
４１       固定具取付部材
４０ａ     シャワーヘッド
５０       炭酸泉装置
５０ａ     浴槽
６１       圧力センサ（ガス漏れ検知手段）
６２       遮断弁
Ｌ         レバー
Ｋ         カラン
Ｍ         混合栓
【図１】
2014094339.tif 000003
【図２】
2014094339.tif 000004
【図３】
2014094339.tif 000005
【図４】
2014094339.tif 000006
【図５】
2014094339.tif 000007
【図６】
2014094339.tif 000008
【図７】
2014094339.tif 000009
【図８】
2014094339.tif 000010
【図９】
2014094339.tif 000011
【図１０】
2014094339.tif 000012
【図１１】
2014094339.tif 000013
【図１２】
2014094339.tif 000014
【図１３】
2014094339.tif 000015
【図１４】
2014094339.tif 000016
【図１５】
2014094339.tif 000017
【図１６Ａ】
2014094339.tif 000018
【図１６Ｂ】
2014094339.tif 000019
【図１７】
2014094339.tif 000020